(57)【要約】  本開示は、取引プラットフォームに基づいて供給業者情報を検索するための方法および装置を提供する。各供給業者は、１つ以上の製品グループ情報を有し得、製品グループ情報のそれぞれは、それの対応する特徴的な重み付けパラメータを有し得る。ユーザによって提出された１つ以上の供給業者についての検索要求が受信される。検索要求は、１つ以上の検索キーワードを含む。予め設定された供給業者情報データベースは、検索キーワードに一致する供給業者の製品グループ情報を見付けるために検索される。それぞれの供給業者のそれぞれの一致した製品グループ情報の重み付けされた結果は、それのそれぞれの特徴的な重み付けパラメータに従って取得される。供給業者の重み付けされた製品グループ情報はランク付けされ、対応する供給業者情報はユーザに返還される。本技法は、個別の検索機能を買い手に提供し得、買い手が最良の供給業者を効率的に簡単に見付けることを可能にし得る。
2015513165.tif 000002
【特許請求の範囲】
【請求項１】
１つ以上の供給業者についての検索要求であって、１つ以上の検索キーワードを含む検索要求を受信することと、
前記１つ以上の検索キーワードに従って前記１つ以上の供給業者の１つ以上の製品グループ情報を見付けるために予め設定された供給業者情報データベースを検索することと、
前記１つ以上の製品グループ情報のそれぞれの特徴的な重み付けパラメータに従って、前記１つ以上の製品グループ情報のそれぞれに重み付け演算を実行することと、
前記重み付けされた１つ以上の製品グループ情報をランク付けることと、
を含む、方法。
【請求項２】
前記ランク付けの結果に基づいて、対応する供給業者情報を返還することを更に含む、請求項１に記載の方法。
【請求項３】
前記１つ以上の供給業者のそれぞれが、１つ以上の製品グループ情報を有し、
各製品グループ情報が、対応する特徴的な重み付けパラメータを有する、請求項１に記載の方法。
【請求項４】
前記それぞれの特徴的な重み付けパラメータは、主要事業係数を含む、請求項１に記載の方法。
【請求項５】
前記それぞれの特徴的な重み付けパラメータを取得することであって、
それぞれの供給業者の製品の総数に対する前記それぞれの供給業者のそれぞれの製品グループにおける製品の数の割合を表す第１の割合を計算することと、
前記それぞれの供給業者の特徴的な識別を有する製品の総数に対する前記それぞれの供給業者の前記それぞれの製品グループにおける特徴的な識別を有する製品の数を表す第２の割合を計算することと、
重み付けされた第１の割合および重み付けされた第２の割合を取得するために、それぞれ、第１の重みを前記第１の割合におよび第２の重みを前記第２の割合に適用することと、
前記重み付けされた第１の割合および前記重み付けされた第２の割合に基づいて、前記それぞれの供給業者の前記それぞれの製品グループのそれぞれの主要事業係数を取得することと、
を含む、当該取得することを更に含む、請求項１に記載の方法。
【請求項６】
前記特徴的な識別は、表示推薦識別を備える、請求項５に記載の方法。
【請求項７】
前記予め設定された供給業者情報データベースは、前記１つ以上の供給業者の前記１つ以上の製品グループ情報に対応する１つ以上の供給業者情報キーワードおよび供給業者情報フレーズリストを備える、請求項１に記載の方法。
【請求項８】
前記１つ以上の供給業者情報キーワードは、１つ以上のタイトルキーワードを備え、
当該方法は、
前記１つ以上の供給業者の１つ以上の製品グループの製品タイトル情報を取得することと、
前記１つ以上のタイトルキーワードを取得するために、前記製品タイトル情報を１つ以上の単語に区分化することと、
前記供給業者情報フレーズリストを取得するために、前記製品タイトル情報を１つ以上のフレーズに区分化することと、
を更に含む、請求項７に記載の方法。
【請求項９】
前記１つ以上の供給業者情報キーワードは、１つ以上の製品グループキーワードを備え、
当該方法は、
前記１つ以上の供給業者の１つ以上の製品グループの製品グループ名を取得することと、
前記１つ以上の製品グループキーワードを取得するために前記製品グループ名を区分化することと、
を更に含む、請求項７に記載の方法。
【請求項１０】
前記１つ以上の供給業者情報キーワードは、１つ以上のカテゴリキーワードを備え、
当該方法は、
前記１つ以上の供給業者の１つ以上の製品グループのカテゴリ情報を取得することであって、それぞれのカテゴリ情報が、根カテゴリの記述情報および葉カテゴリの記述情報を含む、当該取得することと、
前記カテゴリ情報から前記１つ以上のカテゴリキーワードを抽出することと、
を更に含む、請求項７に記載の方法。
【請求項１１】
前記１つ以上の供給業者情報キーワードは、１つ以上の属性キーワードを備え、
当該方法は、
前記１つ以上の供給業者の１つ以上の製品グループの属性情報を取得することと、
前記属性情報から前記１つ以上の属性キーワードを抽出することと、
を更に含む、請求項７に記載の方法。
【請求項１２】
前記１つ以上の検索キーワードは、１つ以上の単語および１つ以上のフレーズを備え、
前記１つ以上の検索キーワードに従って、前記１つ以上の供給業者の前記１つ以上の製品グループ情報を見付けるために、前記予め設定された供給業者情報データベースを前記検索することは、
Ｋ個の最も類似した製品グループ情報の数を抽出するように供給業者情報フレーズリストを検索するために、前記１つ以上のフレーズを使用することであって、Ｋは、予め設定された数閾値を表す、当該使用することと、
前記フレーズに基づいて見付けられた製品グループ情報の数が、Ｌ個の製品グループ情報の数で、Ｌ＜Ｋである場合、前記供給業者情報キーワードを検索するために前記１つ以上の単語を使用することと、Ｋ―Ｌ個の最も類似して一致した製品グループ情報の数を抽出することと、
前記Ｌ個の製品グループ情報および前記Ｋ―Ｌ個の製品グループ情報を含む前記１つ以上の製品グループ情報を取得することと、
を含む、請求項１に記載の方法。
【請求項１３】
前記１つ以上の検索キーワードは、１つ以上の単語および１つ以上のフレーズを備え、
前記１つ以上の検索キーワードに従って、前記１つ以上の供給業者の前記１つ以上の製品グループ情報を見付けるために、前記予め設定された供給業者情報データベースを前記検索することは、
第１の候補製品グループ情報としてＫ個の最も類似した製品グループ情報の数を抽出するように供給業者情報フレーズリストを検索するために、前記１つ以上のフレーズを使用することであって、Ｋは、予め設定された数閾値を表す、当該使用することと、
前記フレーズに基づいて見付けられた製品グループ情報の数が、Ｌ個の製品グループ情報の数で、Ｌ＜Ｋである場合、前記供給業者情報キーワードを検索するために、前記１つ以上の単語を使用することと、第２の候補製品グループ情報としてＫ―Ｌ個の最も類似して一致した製品グループ情報の数を抽出することと、
前記第１の候補製品グループ情報として前記Ｌ個の製品グループ情報および前記第２の候補製品グループ情報として前記Ｋ―Ｌ個の製品グループ情報を含む候補製品グループ情報を取得することと、
前記検索キーワードの前記１つ以上の単語と前記供給業者の前記候補製品グループ情報の供給業者情報キーワードとの間のテキスト類似度合いを表す第１のテキスト類似度合いを計算することと、
前記検索キーワードの前記１つ以上のフレーズと前記供給業者の前記候補製品グループ情報の供給業者情報フレーズリストとの間のテキスト類似度合いを表す第２のテキスト類似度合いを計算することと、
前記候補製品グループ情報から、前記第１のテキスト類似度合いおよび前記第２のテキスト類似度合いの降順に従って、予め設定された数の製品グループ情報を選択することと、
を含む、請求項１に記載の方法。
【請求項１４】
１つ以上の供給業者についての検索要求であり、１つ以上の検索キーワードを含む検索要求を受信する受信モジュールであって、前記１つ以上の供給業者のそれぞれが１つ以上の製品グループ情報を有し、各製品グループ情報がそれぞれの特徴的な重み付けパラメータを有する、受信モジュールと、
前記１つ以上の検索キーワードに従って前記１つ以上の供給業者の１つ以上の製品グループ情報を見付けるために、予め設定された供給業者情報データベースを検索する検索モジュールと、
前記１つ以上の製品グループ情報の前記それぞれの特徴的な重み付けパラメータに従って、前記１つ以上の製品グループ情報のそれぞれに対して重み付け演算を実行する重み付けモジュールと、
前記重み付けされた１つ以上の製品グループ情報をランク付ける返還モジュールと、
を備える、装置。
【請求項１５】
前記返還モジュールは、前記ランク付けの結果に基づいて、対応する供給業者情報を更に返還する、請求項１４に記載の装置。
【請求項１６】
前記特徴的な重み付けパラメータは、主要事業係数を含む、請求項１４に記載の装置。
【請求項１７】
前記１つ以上の検索キーワードは、１つ以上の単語および１つ以上のフレーズを備え、
前記検索モジュールは、
Ｋ個の最も類似した製品グループ情報の数を抽出するように供給業者情報フレーズリストを検索するために、前記１つ以上のフレーズを使用する第１の抽出サブモジュールであって、Ｋは、予め設定された数閾値を表す、第１の抽出サブモジュールと、
前記フレーズに基づいて見付けられた製品グループ情報の数がＬ個の製品グループ情報の数で、Ｌ＜Ｋであるときに、前記供給業者情報キーワードを検索するために前記１つ以上の単語を使用し、Ｋ―Ｌ個の最も類似して一致した製品グループ情報の数を抽出する、第２の抽出サブモジュールと、を更に含み、
前記１つ以上の製品グループ情報は、前記Ｌ個の製品グループ情報および前記Ｋ―Ｌ個の製品グループ情報を含む、請求項１４に記載の装置。
【請求項１８】
前記１つ以上の検索キーワードは、１つ以上の単語および１つ以上のフレーズを備え、
前記検索モジュールは、
第１の候補製品グループ情報としてＫ個の最も類似した製品グループ情報の数を抽出するように供給業者情報フレーズリストを検索するために、前記１つ以上のフレーズを使用する第１の抽出サブモジュールであって、Ｋは、予め設定された数閾値を表す、第１の抽出サブモジュールと、
前記フレーズに基づいて見付けられた製品グループ情報の数がＬ個の製品グループ情報の数で、Ｌ＜Ｋであるときに、前記供給業者情報キーワードを検索するために前記１つ以上の単語を使用し、第２の候補製品グループ情報としてＫ―Ｌ個の最も類似して一致した製品グループ情報の数を抽出する、第２の抽出サブモジュールであって、候補製品グループ情報は、前記第１の候補製品グループ情報として前記Ｌ個の製品グループ情報および前記第２の候補製品グループ情報として前記Ｋ―Ｌ個の製品グループ情報を含む、第２の抽出サブモジュールと、
前記検索キーワードの前記１つ以上の単語と前記供給業者の前記候補製品グループ情報の供給業者情報キーワードとの間のテキスト類似度合いを表す第１のテキスト類似度合いを計算する第１のテキスト類似度合い計算サブモジュールと、
前記検索キーワードの前記１つ以上のフレーズと前記供給業者の前記候補製品グループ情報の供給業者情報フレーズリストとの間のテキスト類似度合いを表す第２のテキスト類似度合いを計算する第２のテキスト類似度合い計算サブモジュールと、
前記候補製品グループ情報から、前記第１のテキスト類似度合いおよび前記第２のテキスト類似度合いの降順に従って、予め設定された数の製品グループ情報を選択する情報選択サブモジュールと、
を更に含む、請求項１４に記載の装置。
【請求項１９】
プロセッサで実行可能な命令を含む１つ以上のコンピュータ記憶媒体であって、前記命令は、１つ以上のプロセッサによって実行されるときに、前記１つ以上のプロセッサに、
１つ以上の供給業者についての検索要求を受信することであって、前記検索要求は１つ以上の検索キーワードを含み、前記１つ以上の供給業者のそれぞれは１つ以上の製品グループ情報を有し、各製品グループ情報は対応する特徴的な重み付けパラメータを有し、前記特徴的な重み付けパラメータは主要事業係数を含む、当該受信することと、
前記１つ以上の検索キーワードに従って前記１つ以上の供給業者の１つ以上の製品グループ情報を見付けるために予め設定された供給業者情報データベースを検索することと、
前記１つ以上の製品グループ情報のそれぞれの特徴的な重み付けパラメータに従って、前記１つ以上の製品グループ情報のそれぞれに重み付け演算を実行することと、
前記重み付けされた１つ以上の製品グループ情報をランク付けることと、を含む活動を実行させる、１つ以上のコンピュータ記憶媒体。
【請求項２０】
前記活動は、前記ランク付けの結果に基づいて、対応する供給業者情報を返還することを更に含む、請求項１９に記載の１つ以上のコンピュータ記憶媒体。
【発明の詳細な説明】
【技術分野】
【０００１】
この出願は、２０１２年４月１１日に出願され「Method and Apparatus for Searching Supplier Information Based on Transaction Platform」と題された中国特許出願第201210105607.7号に外国優先権を主張するものであり、その中国出願は、それの全体が参照によって本明細書に組み込まれる。
【０００２】
本開示は、取引プラットフォームデータ処理の分野に関するものであり、より詳細には、取引プラットフォームに基づいて供給業者情報を検索するための方法および装置に関するものである。
【背景技術】
【０００３】
インターネットにおけるオープンな環境下で、ネットワーク通信技術に基づいて、買い手や売り手は、取引プラットフォームを通した商業活動、例えばオンラインショッピング、商人間のオンライン取引、オンライン支払、および種々の事業活動、取引活動、財務活動ならびに他の関連する広範囲のサービスなどを行うことができる。現在、取引プラットフォームは、一般に、企業間（Ｂ２Ｂ）、企業対顧客（Ｂ２Ｃ）、および顧客間（Ｃ２Ｃ）モデルに分割される。ここ数年、取引プラットフォームは、急速に成長している。多くのＢ２Ｂ、Ｃ２Ｃ、Ｂ２Ｃ取引プラットフォーム（またはショッピングウェブサイト）、例えばＴａｏｂａｏ（登録商標）、Ｄａｎｇｄａｎｇ（商標）、およびＡｍａｚｏｎ（登録商標）などは、ユーザに広く認識され受け入れられている。
【０００４】
電子商取引取引プラットフォームでは、売り手は、彼の／彼女のウェブページから彼の／彼女の供給製品情報またはカテゴリ情報を公開し得る。多くの種類の非常に多くの製品がある場合、売り手は、一定の規則に従って、製品を分類し得る。買い手に彼の／彼女の視覚上の便宜のために直接的で直感的な印象を提供するために、売り手は、彼の／彼女のウェブページのフロントページに製品の画像、タイトル、および他の情報を直接表示するための表示ウィンドウ情報を設定し得る。
【０００５】
買い手が製品を購入すると、買い手は、取引プラットフォームで満足な供給業者を選択しフィルターをかけることによって、取引を行い得る。従来の技法の下で、供給業者の識別（identification：ｉｄ）を取得した後、買い手は、供給業者の識別に基づいて対応する供給業者によって供給された製品の情報を取得するために検索することができる。しかしながら、ほとんどの状況において、買い手は、取引プラットフォームで彼の／彼女の興味のある製品を検索するために彼の／彼女の自己定義した問いかけ語だけを使用し、対応する供給業者の情報を見付けるために製品情報を使用し、供給業者によって供給された製品の関連情報を取得することができる。加えて、そのような従来の技法を通して見付けられた供給業者は、最良の供給業者ではないことが非常に多く、更なる手動フィルタリングを要求する。
【０００６】
従って、取引プラットフォームに基づく新たな供給業者情報検索技法は、個別検索機能性を買い手に提供することと、買い手が迅速に容易に最良の供給業者を見付けることを可能にすることと、をひどく必要としている。
【発明の概要】
【０００７】
この要約は、下段の発明を実施するための形態に更に記述されている単純化された形式で一連の概念を紹介するために提供される。この要約は、特許請求された主題の全ての主要な特徴または本質的な特徴を識別することを意図するものではなく、特許請求された主題の範囲を決定する助けとして単独で使用されることを意図するものでもない。用語「技法」は、例えば、上記文脈によって、また本開示全体にわたって許容されるように（複数の）装置、（複数の）システム、（複数の）方法および／またはコンピュータで読み取り可能な命令を参照にし得る。
【０００８】
本開示は、取引プラットフォームに基づいて供給業者情報を検索するための方法を提供する。供給業者は、１つ以上の製品グループ情報を有する。製品グループ情報のそれぞれは、それの対応する特徴的な重み付けパラメータを有する。
【０００９】
ユーザによって提出された１つ以上の供給業者についての検索要求が受信される。検索要求は、１つ以上の検索キーワードを含む。予め設定された供給業者情報データベースは、検索キーワードに一致する供給業者の製品グループ情報を見付けるために検索される。それぞれの供給業者のそれぞれの一致した製品グループ情報の重み付けされた結果は、それのそれぞれの特徴的な重み付けパラメータに従って取得される。供給業者の重み付けされた製品グループ情報はランク付けされ、対応する供給業者情報はユーザに返還される。
【００１０】
例えば、特徴的な重み付けパラメータは、主要事業係数を含み得る。それぞれの供給業者のそれぞれの製品グループ情報の特徴的な重み付けパラメータは、以下のように取得され得る。第１の割合および第２の割合が計算される。第１の割合は、それぞれの供給業者の製品の総数に対するそれぞれの供給業者のそれぞれの製品グループにおける製品の数の割合を表す。第２の割合は、それぞれの供給業者の特徴的な識別を有する製品の総数に対するそれぞれの供給業者のそれぞれの製品グループにおける特徴的な識別を有する製品の数を表す。第１の割合の第１の重みおよび第２の割合の第２の重みは、重み付け計算のために使用される。第２の重みは、第１の重みよりも大きくすることができる。重み付けされた第１の割合および重み付けされた第２の割合は、それぞれの供給業者のそれぞれの製品グループの主要事業係数を取得するために組み合わされる。特徴的な識別は、表示推薦識別を含み得る。
【００１１】
例えば、予め設定された供給業者情報データベースは、それぞれの供給業者のそれぞれの製品グループ情報に対応する１つ以上の供給業者情報キーワードおよび１つ以上の供給業者情報フレーズリストを含み得る。供給業者情報キーワードは、１つ以上のタイトルキーワードを含み得る。タイトルキーワードは、供給業者の製品グループの製品タイトル情報を取得することと、製品タイトル情報を単語に区分化することと、を通して取得され得る。供給業者情報フレーズリストは、供給業者の製品グループの製品タイトル情報を取得することと、製品タイトル情報をフレーズに区分化することと、を通して取得され得る。
【００１２】
別の例の場合、供給業者情報キーワードはまた、１つ以上の製品グループキーワードを含み得る。製品グループキーワードは、それぞれの供給業者のそれぞれの製品グループ名を取得することと、それぞれの供給業者のそれぞれの製品グループ名を区分化することと、によって取得され得る。
【００１３】
別の例の場合、供給業者情報キーワードはまた、１つ以上のカテゴリキーワードを含み得る。カテゴリキーワードは、それぞれの供給業者のそれぞれの製品のそれぞれのカテゴリ情報を取得することと、それぞれのカテゴリ情報からカテゴリキーワードを抽出することと、によって取得され得る。それぞれのカテゴリ情報は、根カテゴリの記述情報および葉カテゴリの記述情報を含み得る。
【００１４】
別の例の場合、供給業者情報キーワードはまた、１つ以上の属性キーワードを含み得る。属性キーワードは、それぞれの供給業者のそれぞれの製品の属性情報を取得することによって取得され得、カテゴリ属性情報から抽出され得る。
【００１５】
別の例の場合、検索キーワードは、１つ以上の単語および／またはフレーズを含み得る。予め設定された供給業者情報データベースは、以下の動作によって検索キーワードに一致する供給業者の製品グループ情報を見付けるために検索される。フレーズは、供給業者の一致した製品グループ情報として供給業者のＫ個の最も類似して一致した製品グループ情報の数を抽出するように供給業者情報フレーズリストを検索するために使用される。Ｋは、予め設定された数閾値を表す。フレーズに基づいて供給業者の見付けられた製品グループ情報の数がＬで、Ｌ＜Ｋである場合、単語が、供給業者情報キーワードを検索するために更に使用され、供給業者のＫ―Ｌ個の最も類似して一致した製品情報の数が抽出される。供給業者のＬ個の製品グループ情報およびＫ―Ｌ個の製品グループは共に、供給業者の一致した製品グループ情報を構成する。
【００１６】
別の例の場合、検索キーワードは、１つ以上の単語および／またはフレーズを含み得る。予め設定された供給業者情報データベースは、以下の動作によって検索キーワードに一致する供給業者の製品グループ情報を見付けるために検索される。フレーズは、供給業者の候補製品グループ情報として供給業者のＫ個の最も類似して一致した製品グループ情報の数を抽出するように供給業者情報フレーズリストを検索するために使用される。Ｋは、予め設定された数閾値を表す。フレーズに基づいて供給業者の見付けられた製品グループ情報の数がＬで、Ｌ＜Ｋである場合、単語が、供給業者情報キーワードを検索するために更に使用され、供給業者のＫ―Ｌ個の最も類似して一致した製品情報の数が抽出される。供給業者のＬ個の製品グループ情報およびＫ―Ｌ個の製品グループは共に、供給業者の候補製品グループ情報を構成する。第１のテキスト類似度合いおよび第２のテキスト類似度合いが計算される。第１のテキスト類似度合いは、検索キーワードの単語と供給業者の候補製品グループ情報の供給業者情報キーワードとの間のテキスト類似度合いを表す。第２のテキスト類似度合いは、検索キーワードのフレーズと供給業者の候補製品グループ情報の供給業者情報フレーズリストとの間のテキスト類似度合いを表す。供給業者の予め設定された数の候補製品グループ情報は、供給業者の一致した製品グループ情報として、第１のテキスト類似度合いおよび第２のテキスト類似度合いの降順に従って、選択される。
【００１７】
本開示はまた、取引プラットフォームに基づいて供給業者情報を検索するための装置を提供する。供給業者は、１つ以上の製品グループ情報を有する。製品グループ情報のそれぞれは、それの対応する特徴的な重み付けパラメータを有する。装置は、要求受信モジュール、検索モジュール、重み付けモジュール、および返還モジュールを含み得る。
【００１８】
要求受信モジュールは、ユーザによって提出された１つ以上の供給業者についての検索要求を受信する。検索要求は、１つ以上の検索キーワードを含む。検索モジュールは、検索キーワードに従って供給業者の一致した製品グループ情報を見付けるために、予め設定された供給業者情報データベースを検索する。重み付けモジュールは、それらのそれぞれの特徴的な重み付けパラメータに従って供給業者の一致した製品グループ情報に対して重みを計算するか割り当てる。返還モジュールは、供給業者の重み付けされた製品グループ情報をランク付け、対応する供給業者情報をユーザに返還する。
【００１９】
例えば、特徴的な重み付けパラメータは、主要事業係数を含み得る。それぞれの供給業者のそれぞれの製品グループ情報の特徴的な重み付けパラメータは、以下のように取得され得る。第１の割合および第２の割合が計算される。第１の割合は、それぞれの供給業者の製品の総数に対するそれぞれの供給業者のそれぞれの製品グループにおける製品の数の割合を表す。第２の割合は、それぞれの供給業者の特徴的な識別を有する製品の総数に対するそれぞれの供給業者のそれぞれのグループにおける特徴的な識別を有する製品の数を表す。第１の割合の第１の重みおよび第２の割合の第２の重みは、重み付け計算のために使用される。第２の重みは、第１の重みよりも大きくすることができる。重み付けされた第１の割合および重み付けされた第２の割合は、それぞれの供給業者のそれぞれの製品グループの主要事業係数を取得するために組み合わされる。特徴的な識別は、表示推薦識別を含み得る。
【００２０】
例えば、予め設定された供給業者情報データベースは、それぞれの供給業者のそれぞれの製品グループ情報に対応する１つ以上の供給業者情報キーワードおよび供給業者情報フレーズリストを含み得る。供給業者情報キーワードは、１つ以上のタイトルキーワードを含み得る。タイトルキーワードは、それぞれの供給業者のそれぞれの製品グループのそれぞれの製品タイトル情報を取得することと、それぞれの製品タイトル情報を区分化することと、によって取得され得る。
【００２１】
別の例の場合、供給業者情報キーワードはまた、１つ以上の製品グループキーワードを含み得る。製品グループキーワードは、それぞれの供給業者のそれぞれの製品グループ名を取得することと、それぞれの供給業者のそれぞれの製品グループ名を区分化することと、によって取得され得る。
【００２２】
別の例の場合、供給業者情報キーワードはまた、１つ以上のカテゴリキーワードを含み得る。カテゴリキーワードは、それぞれの供給業者のそれぞれの製品のそれぞれのカテゴリ情報を取得することと、それぞれのカテゴリ情報からカテゴリキーワードを抽出することと、によって取得され得る。それぞれのカテゴリ情報は、根カテゴリの記述情報および葉カテゴリの記述情報を含み得る。
【００２３】
別の例の場合、供給業者情報キーワードはまた、１つ以上の属性キーワードを含み得る。属性キーワードは、それぞれの供給業者のそれぞれの製品の属性情報を取得することによって取得され得、カテゴリ属性情報から抽出され得る。
【００２４】
別の例の場合、検索キーワードは、１つ以上の単語および／またはフレーズを含み得る。検索モジュールは、第１の抽出サブモジュールおよび第２の抽出サブモジュールを含み得る。第１の抽出サブモジュールは、供給業者の一致した製品グループ情報として供給業者のＫ個の最も類似して一致した製品グループ情報の数を抽出するようにフレーズを使用することによって、予め設定された供給業者情報データベースを検索する。Ｋは、予め設定された数閾値を表す。フレーズに基づいて供給業者の見付けられた製品グループ情報の数がＬで、Ｌ＜Ｋである場合、第２の抽出サブモジュールは、供給業者情報キーワードを検索するために単語を更に使用し、供給業者のＫ―Ｌ個の最も類似して一致した製品情報の数を抽出する。Ｌ個の供給業者グループ情報およびＫ―Ｌ個の製品グループは、供給業者の一致した製品グループ情報を構成する。
【００２５】
別の例の場合、検索キーワードは、１つ以上の単語および／またはフレーズを含み得る。検索モジュールは、第１の候補情報抽出サブモジュール、第２の候補情報抽出サブモジュール、第１のテキスト類似度合い計算モジュール、第２のテキスト類似性計算モジュール、および情報選択サブモジュールを含み得る。第１の候補情報抽出サブモジュールは、供給業者の候補製品グループ情報として供給業者のＫ個の最も類似して一致した製品グループ情報の数を抽出するようにフレーズを使用することによって、予め設定された供給業者情報データベースを検索する。Ｋは、予め設定された数閾値を表す。フレーズに基づいて供給業者の見付けられた製品グループ情報の数がＬで、Ｌ＜Ｋである場合、第２の候補情報抽出サブモジュールは、供給業者情報キーワードを検索するために単語を更に使用し、供給業者のＫ―Ｌ個の最も類似して一致した製品グループ情報の数を抽出する。Ｌ個の供給業者グループ情報およびＫ―Ｌ個の製品グループは共に、供給業者の候補製品グループ情報を構成する。
【００２６】
第１のテキスト類似度合い計算サブモジュールは、第１のテキスト類似度合いを計算する。第１のテキスト類似度合いは、検索キーワードの単語と供給業者の候補製品グループ情報の供給業者情報キーワードとの間のテキスト類似度合いを表す。第２のテキスト類似度合い計算サブモジュールは、第２のテキスト類似度合いを計算する。第２のテキスト類似度合いは、検索キーワードのフレーズと供給業者の候補製品グループ情報の供給業者情報フレーズリストとの間のテキスト類似度合いを表す。情報選択サブモジュールは、供給業者の一致した製品グループ情報として、第１のテキスト類似度合いおよび第２のテキスト類似度合いの降順に従って、供給業者の予め設定された数の候補製品グループ情報を選択する。
【００２７】
本技法は、検索結果をランク付けるために特徴的な重み付けパラメータを使用する。従来の技法によって使用される検索キーワードおよび供給業者製品情報に関する複雑なテキスト一致アルゴリズムは、本技法の下で必要ではない。特徴的な重み付けパラメータの計算方法は、比較的単純であり、特徴的な重み付けパラメータは、予め計算され得る。それ故、本技法は、検索の間に検索結果を計算する時間を効率的に削減し得、それによって、検索効率を改善させる。
【００２８】
本技法は、１つ以上の供給業者の関連情報に基づいて、供給業者の主な製品および供給業者の製品グループの対応する主要事業係数を取得し、供給業者の対応するグループを表す１組のキーワードを使用する。供給業者を買い手に提供するとき、本技法は、供給業者の事業の一致を評価するために売り手の主要事業係数を考慮に入れる。本技法はまた、最良の供給業者を提供する工程の間に事前処理機能性を買い手に提供する。それ故、本技法は、個別の検索機能を買い手に実装し、買い手が必要とする最良の供給業者を買い手が迅速に効率的に見付けることを可能にする。
【図面の簡単な説明】
【００２９】
本開示の実施形態をより良く例示するために、以下は、実施形態の記述に使用される図面の簡単な紹介である。以下の図面は本開示のいくつかの実施形態だけに関連することが明らかである。当業者は、創造的な努力無しに、本開示における図面に従って他の図面を得ることができる。
【図１】本開示に従って取引プラットフォームに基づいて供給業者情報を検索するための方法例のフローチャートを例示する。
【図２】データ入出力のフロー例の略図を例示する。
【図３】カテゴリ情報を処理するための方法例のフローチャートを例示する。
【図４】タイトルキーワードを処理するための方法例のフローチャートを例示する。
【図５】属性キーワードを処理するための方法例のフローチャートを例示する。
【図６】主要事業係数を計算するための方法例のフローチャートを例示する。
【図７】広範囲の情報処理のための方法例のフローチャートを例示する。
【図８】取引プラットフォームに基づいて供給業者情報を検索するための装置例の略図を例示する。
【発明を実施するための形態】
【００３０】
本技法の目的、特徴および利点を例示するために、以下の記述は、図面やいくつかの実施形態例を参照することによって記述される。
【００３１】
電子商取引取引プラットフォームでは、売り手は、彼の／彼女のウェブページから彼の／彼女の供給製品情報またはカテゴリ情報を公開し得る。多くの種類の非常に多くの製品がある場合、売り手は、一定の規則に従って、製品を分類し得る。買い手に視覚上の便宜のために直接的で直感的な印象をもたらすために、売り手は、彼の／彼女のウェブページのフロントページに製品の画像、タイトル、および他の情報を直接表示するための表示ウィンドウ情報を設定し得る。
【００３２】
従来の技法は、供給業者を買い手に提供する、供給業者によって販売された製品、すなわち、買い手によって販売された主要製品の対象を無視することが多い。それ故、買い手に提供される供給業者は、最良の供給業者ではない可能性がある。取引プラットフォームなどで、いくつかの供給業者は、それらの供給または販売した主要製品に加えて、追加的サービスを提供し得る。そのような追加的サービスは、それらの主要事業ではないことが多い可能性がある。それ故、そのような追加的サービスまたは製品を購入する買い手に対して、供給業者が、それの事業をそのような事業に主として対象としていない場合、買い手のユーザ経験は損なわれる。
【００３３】
本技法は、１つ以上の供給業者の関連情報に基づいて、供給業者の主な製品および供給業者の製品グループの対応する主要事業係数を取得し、供給業者の対応するグループを表す１組のキーワードを使用する。供給業者を買い手に提供するとき、本技法は、供給業者の事業の一致を評価するために売り手の主要事業係数を考慮に入れる。本技法はまた、最良の供給業者を提供する工程の間に事前処理機能性を買い手に提供する。それ故、本技法は、買い手のユーザ経験を改善させる。
【００３４】
図１は、本開示に従って取引プラットフォームに基づいて供給業者情報を検索するための方法例のフローチャートを例示する。
【００３５】
１０２では、１つ以上の供給業者についてユーザによって提出された検索要求が受信される。検索要求は、１つ以上の検索キーワードを含む。
【００３６】
１０４では、予め設定された供給業者情報データベースは、検索キーワードに一致する供給業者の製品グループ情報を見付けるために検索される。
【００３７】
１０６では、それぞれの供給業者のそれぞれの一致した製品グループ情報の重み付けされた結果は、それのそれぞれの特徴的な重み付けパラメータに従って取得される。
【００３８】
１０８では、供給業者の重み付けされた製品グループ情報はランク付けされ、対応する供給業者情報はユーザに返還される。
【００３９】
例えば、取引プラットフォームで供給業者によって公開された製品情報は１組の製品情報を形成する。大量の公開された製品情報がある場合、供給業者は、一定の規則に従って製品情報を更にグループ分けし得る。供給業者の製品グループ情報は構造上の情報であり、その情報は、一般検索のためのデータソース（例えば、検索エンジンＧＯＯＧＬＥ（登録商標）やＢＡＩＤＵ（登録商標）によって受け入れられたデータソースなど）とは異なり得る。それぞれの供給業者の製品グループ情報は、供給業者およびそれの製品の記述であり、それは、供給業者のグループ分けの主要キーワード、供給業者の種類、供給業者の規模、供給業者によって供給された製品のカテゴリ、および／または供給業者の製品キーワードなどを含む以下の情報の１つ以上に基づき得る。
【００４０】
一実施形態例では、供給業者の製品グループ情報の特徴的な重み付けパラメータは、予め計算され得る。例えば、特徴的な重み付けパラメータは、主要事業係数を含む。以下の動作は、特徴的な重み付けパラメータを計算するために使用され得る。
【００４１】
サブステップＳ１１では、第１の割合および第２の割合が計算される。第１の割合は、それぞれの供給業者の製品の総数に対するそれぞれの供給業者のそれぞれの製品グループにおける製品の数の割合を表す。第２の割合は、それぞれの供給業者の特徴的な識別を有する製品の総数に対するそれぞれの供給業者のそれぞれのグループにおける特徴的な識別を有する製品の数を表す。例えば、特徴的な識別は、対応する製品が供給業者のウェブページのフロントページの表示ウィンドウでリスト化されることを意味する表示推薦識別を含み得る。
【００４２】
サブステップＳ１２では、第１の割合の第１の重みおよび第２の割合の第２の重みは、重み付け計算のために使用される。第２の重みは、第１の重みよりも大きくすることができる。
【００４３】
サブステップＳ１３では、重み付けされた第１の割合および重み付けされた第２の割合は、それぞれの供給業者のそれぞれの製品グループの主要事業係数を取得するために組み合わされる。
【００４４】
例えば、予め設定された供給業者情報データベースは、それぞれの供給業者のそれぞれの製品グループ情報に対応する１つ以上の供給業者情報キーワードおよび１つ以上の供給業者情報フレーズリストを含み得る。供給業者情報キーワードは、１つ以上のタイトルキーワードを含み得る。タイトルキーワードは、供給業者の製品グループの製品タイトル情報を取得することと、製品タイトル情報を単語に区分化することと、を通して取得され得る。供給業者情報フレーズリストは、供給業者の製品グループの製品タイトル情報を取得することと、製品タイトル情報をフレーズに区分化することと、を通して取得され得る。
【００４５】
別の例の場合、検索方法はまた、製品グループ名に基づき得る。供給業者情報キーワードはまた、１つ以上の製品グループキーワードを含み得る。製品グループキーワードは、それぞれの供給業者のそれぞれの製品グループ名を取得することと、それぞれの供給業者のそれぞれの製品グループ名を区分化することと、を通して取得され得る。
【００４６】
別の例の場合、検索方法はまた、カテゴリに基づき得る。供給業者情報キーワードはまた、１つ以上のカテゴリキーワードを含み得る。カテゴリキーワードは、それぞれの供給業者のそれぞれの製品のそれぞれのカテゴリ情報を取得することと、それぞれのカテゴリ情報からカテゴリキーワードを抽出することと、を通して取得され得る。それぞれのカテゴリ情報は、根カテゴリの記述情報および葉カテゴリの記述情報を含み得る。
【００４７】
別の例の場合、供給業者情報キーワードはまた、１つ以上の属性キーワードを含み得る。属性キーワードは、それぞれの供給業者のそれぞれの製品の属性情報を取得することを通して取得され得、カテゴリ属性情報から抽出され得る。
【００４８】
本技法の理解を容易にするために、本開示の以下の実施形態例は、供給業者情報キーワードと供給業者情報フレーズリストを抽出するためのおよび特徴的な重み付けパラメータを計算するための工程を更に詳しく述べる。
【００４９】
１．入出力データ
例えば、供給業者データベースからの入力データは、カテゴリ情報、製品情報、属性情報、表示ウィンドウ情報、およびグループ情報をそれぞれ表す５つの表を含み得る。例示を容易にするために、表の名前およびフィールドは、以下の表に例示され得る。
【００５０】
【表１】
2015513165.tif 000003
【００５１】
入力データフィールドの表現は、以下のように例示される。  
（１）ＣＯＭＰＡＮＹ＿ＩＤは、供給業者の識別（ＩＤ）を表す。  
（２）ＧＲＯＵＰ＿ＩＤは、製品グループのＩＤを表す。  
（３）ＰＲＯＤＵＣＴ＿ＩＤは、製品のＩＤを表す。  
（４）ＳＵＢＪＥＣＴは、製品の名前を表す。  
（５）ＣＡＴＥＧＯＲＹ＿ＲＯＯＴ＿ＩＤは、根カテゴリのＩＤを表す。  
（６）ＣＡＴＥＧＯＲＹ＿ＲＯＯＴ＿ＤＥＳＣは、根カテゴリの記述を表す。  
（７）ＣＡＴＥＧＯＲＹ＿ＬＥＡＦ＿ＩＤは、葉カテゴリのＩＤを表す。  
（８）ＣＡＴＥＧＯＲＹ＿ＬＥＡＦ＿ＤＥＳＣは、葉カテゴリの記述を表す。  
（９）ＡＴＴＲ＿ＩＤは、属性のＩＤを表す。  
（１０）ＡＴＴＲ＿ＶＡＬＵＥは、属性の値を表す。  
（１１）ＮＡＭＥは、製品グループの名前を表す。
【００５２】
実施形態例では、供給業者情報キーワードおよび供給業者情報フレーズリストが抽出され、主要事業係数が計算された後、出力データ表におけるフィールドは、表２に示されるようなものであり得る。
【００５３】
【表２】
2015513165.tif 000004
【００５４】
出力データフィールドの表現は、以下のように例示される。  
（１）ＣＯＭＰＡＮＹ＿ＩＤは、供給業者のＩＤを表す。  
（２）ＧＲＯＵＰ＿ＩＤは、グループのＩＤを表す。  
（３）ＮＡＭＥ＿ＫＥＹＷＯＲＤは、製品グループの名前のキーワードを表す。  
（４）ＣＡＴＥＧＯＲＹ＿ＲＯＯＴ＿ＩＤは、根カテゴリのＩＤのリストを表す。  
（５）ＣＡＴＥＧＯＲＹ＿ＬＥＡＦ＿ＩＤは、葉カテゴリのＩＤのリストを表す。  
（６）ＣＡＴＥＧＯＲＹ＿ＫＥＹＷＯＲＤは、カテゴリのキーワードのリストを表す。
（７）ＳＵＢＪＥＣＴ＿ＫＥＹＷＯＲＤは、タイトルキーワードのリストを表す。  
（８）ＡＴＴＲ＿ＫＥＹＷＯＲＤは、属性キーワードのリストを表す。  
（９）ＧＲＯＵＰ＿ＳＩＺＥは、製品グループのサイズ、すなわち、製品グループに含まれる製品の数を表す。  
（１０）ＳＨＯＷＣＡＳＥ＿ＳＩＺＥは、表示ウィンドウのサイズ、すなわち、表示ウィンドウにおける製品グループ内の製品の数を表す。  
（１１）ＳＣＯＲＥは、主要事業係数を表す。  
（１２）ＰＨＲＡＳＥは、供給業者情報フレーズのリストを表す。
【００５５】
２．データ処理フロー
図２は、データ入出力のフロー例の図を例示する。入力データは、カテゴリ情報表２０２、製品情報表２０４、属性情報表２０６、表示ウィンドウ情報表２０８、およびグループ情報表２１０を含む、図２に示されるような５つの表である。表ＣＧＣ２１２、表ＣＧＳ２１４、表ＣＧＡ２１６、および表ＣＧＮ２１８を含む４つの表は、カテゴリ情報処理２２０、タイトルキーワード処理２２２、属性キーワード処理２２４、および主要事業係数スコア処理２２６を含む４つの処理ステップ後、入力データから取得される。４つの表の情報は、主要事業のモデル化の結果を取得するために組み合わされる。広範囲の情報処理２３０を通したｍｉｘｅｄ＿ｉｎｆｏ表２２８は、最後の出力データの表である。
【００５６】
（１）カテゴリ情報処理
図３は、カテゴリ情報を処理するための方法例のフローチャートを例示する。カテゴリ情報表２０２は、ＣＡＴＥＧＯＲＹ＿ＲＯＯＴ＿ＩＤ３０２、ＣＡＴＥＧＯＲＹ＿ＲＯＯＴ＿ＤＥＳＣ３０４、ＣＡＴＥＧＯＲＹ＿ＬＥＡＦ＿ＩＤ３０６、およびＣＡＴＥＧＯＲＹ＿ＬＥＡＦ＿ＤＥＳＣ３０８を含む。製品情報表２０４は、ＣＡＴＥＧＯＲＹ＿ＬＥＡＦ＿ＩＤ３１０、ＰＲＯＤＵＣＴ＿ＩＤ３１２、ＣＯＭＰＡＮＹ＿ＩＤ３１４、ＳＵＢＪＥＣＴ３１６、およびＧＲＯＵＰ＿ＩＤ３１８を含む。葉カテゴリ情報を表すＣＡＴＥＧＯＲＹ＿ＬＥＡＦ＿ＩＤ３０６は、各製品の根カテゴリ情報および葉カテゴリ情報を取得するためにカテゴリ情報表２０２を製品情報表２０４と相関付ける。次いで、カテゴリキーワードが、ＣＡＴＥＧＯＲＹ＿ＲＯＯＴ＿ＤＥＳＣ３０４およびＣＡＴＥＧＯＲＹ＿ＬＥＡＦ＿ＤＥＳＣ３０８から抽出される。例えば、区分処理が、カテゴリキーワードのリストを表すＣＡＴＥＧＯＲＹ＿ＫＥＹＷＯＲＤ３２０を取得するためにＣＡＴＥＧＯＲＹ＿ＲＯＯＴ＿ＤＥＳＣ３０４およびＣＡＴＥＧＯＲＹ＿ＬＥＡＦ＿ＤＥＳＣ３０８に適用され得る。
【００５７】
そのような処理は、以下のフィールド、すなわち、供給業者のＩＤを表すＣＯＭＰＡＮＹＩＤ３１４、グループのＩＤを表すＧＲＯＵＰ＿ＩＤ３１８、根カテゴリのＩＤのリストを表すＣＡＴＥＧＯＲＹ＿ＲＯＯＴ＿ＩＤ３２２、葉カテゴリのＩＤのリストを表すＣＡＴＥＧＯＲＹ＿ＬＥＡＦ＿ＩＤ３２４、およびＣＡＴＥＧＯＲＹ＿ＫＥＹＷＯＲＤ３２０を含む、表ＣＧＣ２１２を取得し得る。
【００５８】
（２）タイトルキーワード処理
図４は、タイトルキーワードを処理するための方法例のフローチャートを例示する。そのような処理は、各製品グループの下で全製品の対象フィールドを収集し、対象を単語および／またはフレーズに区分化する。単語に区分化する結果は、１つ以上のキーワードおよびキーワードの出現頻度に関する情報を含む。フレーズに区分化する結果は、１つ以上のフレーズおよびフレーズの出現頻度に関する情報を含む。
【００５９】
そのような処理は、以下のフィールド、すなわち、供給業者を表すＣＯＭＰＡＮＹ＿ＩＤ３１４、グループを表すＧＲＯＵＰ＿ＩＤ３１８、タイトルキーワードのリストを表すＳＵＢＪＥＣＴ＿ＫＥＹＷＯＲＤ４０２、根カテゴリのＩＤのリストを表すＣＡＴＥＧＯＲＹ＿ＲＯＯＴ＿ＩＤ３２２、および供給業者情報フレーズのリストを表すＰＨＲＡＳＥ４０４を含む、表ＣＧＳ２１４を取得し得る。
【００６０】
（３）属性キーワード処理
図５は、属性キーワードを処理するための方法例のフローチャートを例示する。そのような処理は、製品情報表２０４を属性情報表２０６と相関付けるためにＰＲＯＤＵＣＴ＿ＩＤ３１２を使用し、区分化処理および相関付けられた表の単語頻度計算を行い、単語頻度情報を含む供給業者の製品グループの属性キーワードのリストを取得する。属性情報表２０６は、以下のフィールド、すなわち、ＰＲＯＤＵＣＴ＿ＩＤ３１２、属性のＩＤを表すＡＴＴＲ＿ＩＤ５０２、属性の値を表すＡＴＴＲ＿ＶＡＬＵＥ５０４を含む。
【００６１】
そのような処理は、以下のフィールド、すなわち、供給業者を表すＣＯＭＰＡＮＹ＿ＩＤ３１４、グループを表すＧＲＯＵＰ＿ＩＤ３１８、および属性キーワードのリストを表すＡＴＴＲ＿ＫＥＹＷＯＲＤ５０６を含む表ＣＧＡ２１６を取得し得る。
【００６２】
（４）主要事業係数の計算
図６は、主要事業係数を計算するための方法例のフローチャートを例示する。そのような処理は、製品情報表２０４、表示ウィンドウ情報表２０８、およびグループ情報表２１０を相関付けるためにＰＲＯＤＵＣＴ＿ＩＤ３１２とＧＲＯＵＰ＿ＩＤ３１８を使用し、供給業者の製品グループのそれぞれのスコアを計算する。グループ情報表２１０は、ＧＲＯＵＰ＿ＩＤ３１８、ＣＯＭＰＡＮＹ＿ＩＤ３１４、およびＮＡＭＥ６０２を含む。ＮＡＭＥ６０２のフィールドは区分化される。例えば、区分化結果は、単語頻度情報無しでキーワードを含み得る。
【００６３】
主要事業係数は、以下の式を使用することによって計算され得る。  
Ｗ１＊Ｐ１＋Ｗ２＊Ｐ２
Ｐ１は、供給業者の製品の総数に対する供給業者の製品グループにおける製品の数の割合を表す。Ｐ２は、表示ウィンドウでの供給業者の製品の総数に対する１つ以上の表示ウィンドウでの供給業者の製品グループにおける製品の数の割合を表す。Ｗ１およびＷ２のそれぞれは、Ｐ１およびＰ２の重みを表す。例えば、Ｗ２＞Ｗ１で、Ｗ２は０．７５であり得、Ｗ１は０．２５であり得る。
【００６４】
本技法は、以下のフィールド、すなわち、供給業者のＩＤを表すＣＯＭＰＡＮＹ＿ＩＤ３１４、グループのＩＤを表すＧＲＯＵＰ＿ＩＤ３１８、グループの名前のキーワードを表すＮＡＭＥ＿ＫＥＹＷＯＲＤ６０４、製品グループ内に含まれる製品の数を表すＧＲＯＵＰ＿ＳＩＺＥ６０６、製品グループにおいて表示された製品の数を表すＳＨＯＷＣＡＳＥ＿ＳＩＺＥ６０８、主要事業係数を表すスコア６１０を含む、表ＣＧＮ２１８を取得し得る。
【００６５】
（５）広範囲の情報処理
図７は、広範囲の情報処理のための方法例のフローチャートを例示する。前に取得されたＳＵＢＪＥＣＴ＿ＫＥＹＷＯＲＤ４０２、ＡＴＴＲ＿ＫＥＹＷＯＲＤ５０６、およびＰＨＲＡＳＥ４０４は、キーワードやフレーズの出現頻度を単に含む。そのような頻度は、割合情報を取得するために対応するＧＲＯＵＰ＿ＳＩＺＥ６０６によって分割され得る。ＣＯＭＰＡＮＹ＿ＩＤ３１４およびＧＲＯＵＰ＿ＩＤ３１８は、モデル化を通して主要事業の最終出力結果を取得するために（表２を参照）、上記情報、すなわち、表ＣＧＣ２１２、表ＣＧＳ２１４、表ＣＧＡ２１６、および表ＣＧＮ２１８の全てを相関付けるために使用される。
【００６６】
１０２では、１つ以上の供給業者についてユーザによって提出された検索要求における１つ以上の検索キーワードは、ユーザによって提出された製品情報キーワードまたはユーザによって提出された製品情報キーワードおよびバックエンドによって生成された製品情報キーワードを含み得る。
【００６７】
例えば、検索要求は、以下の表に示されるような見積り要求（ＲＦＱ）のフィールドを含み得る。ＲＦＱは、買い手が購入しようとしている電子商取引取引ウェブサイトでの買い手による製品情報入力を表し、それは、製品情報キーワード、個別のインデックスなどを含み得る。
【００６８】
【表３】
2015513165.tif 000005
【００６９】
実施形態例では、ユーザは、検索問いかけ情報として基本製品情報キーワードを提出し得る。ユーザによって提出された製品情報キーワードに従って、バックエンドは、１つ以上の規則に従って、それらをより標準的な製品情報キーワードに処理し得る。これらの２つの種類の製品情報キーワードは、処理のために組み合わされ得る。加えて、ユーザはまた、上記で示したような更なる個別のインデックスを検索問いかけ情報として提出し得る。以下の検索処理では、そのような個別のインデックスが、供給業者の更なるフィルタリング条件として使用される。
【００７０】
実施形態例では、フロントエンドによって提出されたＲＦＱ情報内に含まれるキーワードは、検索キーワードを取得するために区分化され得る。例えば、ＲＦＱ内に含まれるカテゴリ情報が化学カテゴリまたは医療カテゴリを含む場合、特別な処理が区分化処理に適用され、それは、他の産業に対する区分化処理とは切り離される。例えば、化学辞典が区分化のために使用され得る。ＲＦＱのカテゴリ情報が空またはゼロである場合、買い手がカテゴリに対して要求を有さないことが推定される。区分化結果は、１つ以上の単語および１つ以上のフレーズを含む。すなわち、区分化後に取得される検索キーワードは、フレーズおよび単語を含み得る。確かに、実際には、区分化後の検索キーワードは、単語だけを含み得る。
【００７１】
予め設定された供給業者情報データベースは、供給業者の製品グループ情報に対応する１つ以上の供給業者情報キーワードおよび供給業者情報フレーズリストを含み得る。一実施形態例では、検索キーワードは、フレーズフィールドおよび単語フィールドを含み得る。例えば、１０４における動作は、以下のサブステップを含み得る。
【００７２】
サブステップＳ２１では、フレーズフィールドからのフレーズが、供給業者の一致した製品グループ情報として供給業者のＫ個の最も類似して一致した製品グループ情報の数を抽出するように供給業者情報フレーズリストを検索するために使用される。Ｋは、予め設定された数閾値を表す。
【００７３】
サブステップＳ２２では、フレーズフィールドからのフレーズに基づく供給業者の見付けられた製品グループ情報の数がＬで、Ｌ＜Ｋである場合、単語フィールドからの単語は、供給業者情報キーワードを検索するために更に使用され、供給業者のＫ―Ｌ個の最も類似して一致した製品情報の数が抽出される。供給業者のＬ個の製品グループ情報およびＫ―Ｌ個の製品グループは、供給業者の一致した製品グループ情報を構成する。
【００７４】
別の例の場合、検索キーワードは、単語フィールドからの１つ以上の単語を含み得る。１０４における動作は、以下のサブステップを含み得る。
【００７５】
サブステップ２３では、単語フィールドからの単語が、供給業者のＫ個の最も類似して一致した製品グループ情報の数を抽出するように供給業者情報キーワードを検索するために使用され、供給業者の一致した製品グループ情報として抽出される。Ｋは、予め設定された数閾値を表す。
【００７６】
本開示の別の実施形態では、検索キーワードは単語およびフレーズを含む。１０４における動作は、以下のサブステップを含み得る。
【００７７】
サブステップＳ３１では、フレーズは、供給業者の候補製品グループ情報として供給業者のＫ個の最も類似して一致した製品グループ情報の数を抽出するように供給業者情報フレーズリストを検索するために使用される。Ｋは、予め設定された数閾値を表す。
【００７８】
サブステップ３２では、フレーズに基づいて供給業者の見付けられた製品グループ情報の数がＬで、Ｌ＜Ｋである場合、単語が、供給業者情報キーワードを検索するために更に使用され、供給業者のＫ―Ｌ個の最も類似して一致した製品情報の数が抽出される。供給業者のＬ個の製品グループ情報およびＫ―Ｌ個の製品グループは、供給業者の候補製品グループ情報を構成する。
【００７９】
サブステップ３３では、第１のテキスト類似度合いが計算される。第１のテキスト類似度合いは、検索キーワードの単語と供給業者の候補製品グループ情報の供給業者情報キーワードとの間のテキスト類似度合いを表す。
【００８０】
サブステップ３４では、第２のテキスト類似度合いが計算される。第２のテキスト類似度合いは、検索キーワードのフレーズと供給業者の候補製品グループ情報の供給業者情報フレーズリストとの間のテキスト類似度合いを表す。
【００８１】
サブステップ３５では、供給業者の一致した製品グループ情報として、第１のテキスト類似度合いおよび第２のテキスト類似度合いの降順に従って、供給業者の予め設定された数の候補製品グループ情報が選択される。
【００８２】
例えば、以下の計算方法が、類似度合いを計算するために使用され得る。
【００８３】
ＲＦＱ内に含まれるＲＦＱ＿ＮａｍｅおよびＲＦＱ＿Ｃｏｍｍｅｎｔは、一連の単語やフレーズを取得するために、例えば複数または単数からの区分化や変換などで、処理されている。類似度合いは、単語類似度合いとフレーズ類似度合いの２つの部分を含む。以下は、単語フィールド類似度合いおよびフレーズフィールド類似度合いをそれぞれ計算するための方法を紹介する。
【００８４】
（１）単語フィールド類似度合い（similarity）
供給業者情報キーワードとＲＦＱとの間の類似度合い（または第１のテキスト類似度合い）は、以下の式を使用することによって、計算され得る。
【００８５】
【数１】
2015513165.tif 000006
【００８６】
ｗｅｉｇｈｔ（Ｗｉ）は、単語フィールドの属性に対応する重みを表す。ｐｅｒｃｅｎｔａｇｅ（Ｗｉ）は、供給業者の製品グループ情報に対する単語フィールドの割合を表す。ＮａｍｅＯｒＣｏｍｍｅｎｔ（Ｗｉ）は、製品情報キーワードに属する供給業者情報キーワードに一致する単語フィールドの重みを表す。重みＮａｍｅＯｒＣｏｍｍｅｎｔ（Ｗｉ）の値は、単語フィールドがユーザによって提出された製品情報キーワードに属する供給業者情報キーワードに一致する重みＮａｍｅ（Ｗｉ）であり得、または重みＮａｍｅＯｒＣｏｍｍｅｎｔ（Ｗｉ）の値は、単語フィールドがバックエンドによって生成された製品情報キーワードに属する供給業者情報キーワードに一致するＣｏｍｍｅｎｔ（Ｗｉ）であり得る。Ｎａｍｅは、ＲＦＱの対象の重みを表す一方、Ｃｏｍｍｅｎｔは、操作員によって手動で付け足されるフィールドの重みを表す。異なる重みは、２つの異なる状況に従って割り当てられ得る。
【００８７】
（２）フレーズフィールド類似度合い
供給業者情報フレーズリストとＲＦＱとの間の類似度合い（または第２のテキスト類似度合い）は、以下の式を使用することによって計算され得る。
【００８８】
【数２】
2015513165.tif 000007
【００８９】
ｗｅｉｇｈｔ（ＰＨｉ）は、フレーズフィールドの属性に対応する重みを表す。ｐｅｒｃｅｎｔａｇｅ（ＰＨｉ）は、供給業者の製品グループ情報に対するフレーズフィールドの割合を表す。ＮａｍｅＯｒＣｏｍｍｅｎｔ（ＰＨｉ）は、製品情報キーワードに属する供給業者情報キーワードに一致するフレーズフィールドの重みを表す。重みの値ＮａｍｅＯｒＣｏｍｍｅｎｔ（ＰＨｉ）は、フレーズフィールドがユーザによって提出された製品情報キーワードに属する供給業者情報キーワードに一致する重みＮａｍｅ（ＰＨｉ）であり得、または重みの値ＮａｍｅＯｒＣｏｍｍｅｎｔ（ＰＨｉ）は、フレーズフィールドがバックエンドによって生成された製品情報キーワードに属する供給業者情報キーワードに一致するＣｏｍｍｅｎｔ（ＰＨｉ）であり得る。Ｎａｍｅは、ＲＦＱの対象の重みを表す一方、Ｃｏｍｍｅｎｔは、操作員によって手動で付け足されるフィールドの重みを表す。異なる重みは、２つの異なる状況に従って割り当てられ得る。
【００９０】
この実施形態例における類似度合いアルゴリズムは、テキスト類似度合いおよび主要事業係数の２つの次元を主として含む。類似度合いスコアは、２つの次元の広範囲の結果である。テキスト類似度合いは、一致したキーワードの種類の次元の観点から分類され、それは、単語フィールドのテキスト類似度合いおよびフレーズフィールドの類似度合いを含み得る。主要事業係数は、製品グループの割合および表示における製品グループの割合に基づく広範囲のインデックスであり、それは、検索が実行されるときに製品グループの重み付け計算を実行するために使用され得る。
【００９１】
確かに、予め設定された供給業者情報データベースにおける上記記憶構造、ならびにキーワードに一致する供給業者の製品グループ情報を見付けるためのおよび検索するための対応する方法は、単なる例である。当業者は、実際の状況に応じてそのような方法または他のものを自由に使用し得る。本開示は、本明細書に何の制限も課さない。
【００９２】
１０６では、供給業者の製品グループ情報は、供給業者の製品グループ情報に対応する一致した主要事業係数に従って、直接的にランク付けされ得る。あるいは、供給業者の製品グループ情報のスコアは、第１のテキスト類似度合い、第２のテキスト類似度合い、および主要事業係数に基づいて計算され得、供給業者の製品グループ情報は、それらのスコアに従ってランク付けされ得る。
【００９３】
例えば、供給業者の製品グループ情報のスコアは、以下の式を使用することによって計算され得る。
【００９４】
【数３】
2015513165.tif 000008
【００９５】
Ｗｍは、主要事業係数の重みを表す。ＴｅｘｔＳｉｍｉｌａｒｉｔｙは、テキスト類似度合いのスコアを表す。
【００９６】
本開示の別の実施形態例では、特徴的な属性パラメータはまた、供給業者の一致した製品グループ情報の公開インデックススコアおよび個別のインデックススコアを含み得る。
【００９７】
例えば、公開インデックススコアは、以下の式を使用することによって計算され得る。
【００９８】
【数４】
2015513165.tif 000009
【００９９】
ｉは、任意の整数を表し得る。例えば、Ｐ１は供給業者の活動度合いを表し、Ｐ２は、供給業者の入札応答度合いを表す一方、Ｗ１およびＷ２は、それらのそれぞれの重みを表す。
【０１００】
例えば、個別のインデックススコアは、以下の式を使用することによって計算され得る。
【０１０１】
【数５】
2015513165.tif 000010
【０１０２】
ｉは、任意の整数を表し得る。
【０１０３】
確かに、特徴的な重み付けパラメータの上記選択および特徴的な重み付けパラメータに基づいて供給業者検索結果の製品グループ情報をランク付けるための方法は、単なる例である。本開示は、本明細書に何の制限も課さない。
【０１０４】
例示の簡潔さのために、上記方法の実施形態例は、一連の活動の組み合わせを参照することにより記述される。当業者は、予め設定された開示は一連のそのように記述された活動によって限定されないものとすることを理解するであろう。いくつかのステップは、他の順序または並列処理を使用し得る。加えて、当業者は、本明細書に記述された実施形態は例であり、本明細書に記述された活動またはモジュールは本技法に必須ではなくてもよいことを理解するであろう。
【０１０５】
図８は、取引プラットフォームに基づいて供給業者情報を検索するための装置例８００の図を例示する。供給業者は、１つ以上の製品グループ情報を有し得る。製品グループ情報のそれぞれは、それの対応する特徴的な重みを有する。
【０１０６】
図８における装置８００は、１つ以上の（複数の）プロセッサ８０２およびメモリ８０４を含み得る。メモリ８０４は、コンピュータで読み取り可能な媒体の例である。本明細書において使用される際、「コンピュータで読み取り可能な媒体」は、コンピュータ記憶媒体および通信媒体を含む。
【０１０７】
コンピュータ記憶媒体は、コンピュータで実行可能な命令、データ構造、プログラムモジュール、もしくは他のデータなどの、情報の記憶のための任意の方法または技術に実装される揮発性および不揮発性の、取り外し可能なならびに取り外し不可能な媒体を含む。コンピュータ記憶媒体の例は、限定されるものではないが、相変化メモリ（ＰＲＡＭ）、静的ランダムアクセスメモリ（ＳＲＡＭ）、動的ランダムアクセスメモリ（ＤＲＡＭ）、他の種類のランダムアクセスメモリ（ＲＡＭ）、読み取り専用メモリ（ＲＯＭ）、電気的に消去可能でプログラム可能な読み取り専用メモリ（ＥＥＰＲＯＭ）、フラッシュメモリもしくは他のメモリ技術、コンパクトディスク読み取り専用メモリ（ＣＤ‐ＲＯＭ）、デジタル多用途ディスク（ＤＶＤ）もしくは他の光学記憶装置、磁気カセット、磁気テープ、磁気ディスク記憶装置もしくは他の磁気記憶装置、またはコンピューティング装置によるアクセスのために情報を記憶するために使用され得る任意の他の非伝送媒体を含む。対照的に、通信媒体は、コンピュータで読み取り可能な命令、データ構造、プログラムモジュール、または変調されたデータ信号、例えば搬送波などの他のデータを具体化し得る。本明細書に定義されるように、コンピュータ記憶媒体は通信媒体を含まない。
【０１０８】
メモリ８０４は、プログラムユニットまたはモジュールおよびプログラムデータをその中に記憶し得る。図８の例において、メモリ８０４は、要求受信モジュール８０６、検索モジュール８０８、重み付けモジュール８１０、および返還モジュール８１２をその中に記憶し得る。
【０１０９】
要求受信モジュール８０６は、ユーザによって提出された１つ以上の供給業者についての検索要求を受信する。検索要求は、１つ以上の検索キーワードを含む。検索モジュール８０８は、検索キーワードに従って供給業者の一致した製品グループ情報を見付けるために、予め設定された供給業者情報データベースを検索する。重み付けモジュール８１０は、それらのそれぞれの特徴的な重み付けパラメータに従って供給業者の一致した製品グループ情報に対して、重みを計算するか割り当てることなどの、重み付け演算を実行する。返還モジュール８１２は、供給業者の重み付けされた製品グループ情報をランク付け、対応する供給業者情報をユーザに返還する。
【０１１０】
例えば、特徴的な重み付けパラメータは、主要事業係数を含み得る。主要事業係数は、以下のように取得され得る。
【０１１１】
第１の割合および第２の割合が計算される。第１の割合は、それぞれの供給業者の製品の総数に対するそれぞれの供給業者のそれぞれの製品グループにおける製品の数の割合を表す。第２の割合は、それぞれの供給業者の特徴的な識別を有する製品の総数に対するそれぞれの供給業者のそれぞれのグループにおける特徴的な識別を有する製品の数を表す。特徴的な識別は、表示推薦識別を含み得る。
【０１１２】
第１の割合の第１の重みおよび第２の割合の第２の重みは、重み付け計算のために使用される。第２の重みは、第１の重みよりも大きくすることができる。重み付けされた第１の割合および重み付けされた第２の割合は、それぞれの供給業者のそれぞれの製品グループの主要事業係数を取得するために組み合わされる。
【０１１３】
例えば、予め設定された供給業者情報データベースは、それぞれの供給業者のそれぞれの製品グループ情報に対応する１つ以上の供給業者情報キーワードおよび供給業者情報フレーズリストを含み得る。供給業者情報キーワードは、１つ以上のタイトルキーワードを含み得る。タイトルキーワードは、それぞれの供給業者のそれぞれの製品グループのそれぞれの製品タイトル情報を取得することと、それぞれの製品タイトル情報を単語に区分化することと、によって取得され得る。供給業者情報フレーズリストは、それぞれの供給業者のそれぞれの製品グループのそれぞれの製品タイトル情報を取得することと、それぞれの製品タイトル情報をフレーズに区分化することと、によって取得され得る。
【０１１４】
別の例の場合、供給業者情報キーワードはまた、１つ以上の製品グループキーワードを含み得る。製品グループキーワードは、それぞれの供給業者のそれぞれの製品グループ名を取得することと、それぞれの供給業者のそれぞれの製品グループ名を単語に区分化することと、によって取得され得る。
【０１１５】
別の例の場合、供給業者情報キーワードはまた、１つ以上のカテゴリキーワードを含み得る。カテゴリキーワードは、それぞれの供給業者のそれぞれの製品のそれぞれのカテゴリ情報を取得することと、それぞれのカテゴリ情報からカテゴリキーワードを抽出することと、によって取得され得る。それぞれのカテゴリ情報は、根カテゴリの記述情報および葉カテゴリの記述情報を含み得る。
【０１１６】
別の例の場合、供給業者情報キーワードはまた、１つ以上の属性キーワードを含み得る。属性キーワードは、それぞれの供給業者のそれぞれの製品の属性情報を取得することによって取得され得、カテゴリ属性情報から抽出され得る。
【０１１７】
一実施形態例では、検索キーワードは、１つ以上の単語および／またはフレーズを含み得る。検索モジュール８０８は、第１の抽出サブモジュールおよび第２の抽出サブモジュールを含み得る。第１の抽出サブモジュールは、供給業者の一致した製品グループ情報として供給業者のＫ個の最も類似して一致した製品グループ情報の数を抽出するように供給業者情報フレーズリストを検索する。Ｋは、予め設定された数閾値を表す。
【０１１８】
フレーズに基づいて供給業者の見付けられた製品グループ情報の数がＬで、Ｌ＜Ｋである場合、第２の抽出サブモジュールは、供給業者情報キーワードを検索するために単語を更に使用し、供給業者のＫ―Ｌ個の最も類似して一致した製品情報の数を抽出する。供給業者のＬ個の供給業者グループ情報およびＫ―Ｌ個の製品グループ情報は共に、供給業者の一致した製品グループ情報を構成する。
【０１１９】
別の実施形態では、検索キーワードは、１つ以上の単語および／またはフレーズを含み得る。検索モジュール８０８は、第１の候補情報抽出サブモジュール、第２の候補情報抽出サブモジュール、第１のテキスト類似度合い計算モジュール、第２のテキスト類似性計算モジュール、および情報選択サブモジュールを含み得る。
【０１２０】
第１の候補情報抽出サブモジュールは、供給業者の候補製品グループ情報として供給業者のＫ個の最も類似して一致した製品グループ情報の数を抽出するようにフレーズを使用することによって、予め設定された供給業者情報データベースを検索する。Ｋは、予め設定された数閾値を表す。
【０１２１】
フレーズに基づいて供給業者の見付けられた製品グループ情報の数がＬで、Ｌ＜Ｋである場合、第２の候補情報抽出サブモジュールは、供給業者情報キーワードを検索するために単語を更に使用し、供給業者のＫ―Ｌ個の最も類似して一致した製品グループ情報の数を抽出する。供給業者のＬ個の製品グループ情報および供給業者のＫ―Ｌ個の製品グループ情報は共に、供給業者の候補製品グループ情報を構成する。
【０１２２】
第１のテキスト類似度合い計算サブモジュールは、第１のテキスト類似度合いを計算する。第１のテキスト類似度合いは、検索キーワードの単語と供給業者の候補製品グループ情報の供給業者情報キーワードとの間のテキスト類似度合いを表す。
【０１２３】
第２のテキスト類似度合い計算サブモジュールは、第２のテキスト類似度合いを計算する。第２のテキスト類似度合いは、検索キーワードのフレーズと供給業者の候補製品グループ情報の供給業者情報フレーズリストとの間のテキスト類似度合いを表す。
【０１２４】
情報選択サブモジュールは、供給業者の一致した製品グループ情報として、第１のテキスト類似度合いおよび第２のテキスト類似度合いの降順に従って、供給業者の予め設定された数の候補製品グループ情報を選択する。
【０１２５】
装置の実施形態例における本技法は、方法の実施形態例におけるものに類似し、それ故、簡潔に記述される。装置の実施形態例における関連部分は、方法の実施形態例における対応する部分を参照にされ得る。
【０１２６】
当業者は、本開示の実施形態が、方法、システム、またはコンピュータのプログラミング製品とすることができることを理解するべきである。従って、本開示は、ハードウェア、ソフトウェア、またはその両方の組み合わせによって実装され得る。加えて、本開示は、（限定されるものではないが、ディスク、ＣＤ‐ＲＯＭ、光ディスクなどを含む）コンピュータで実行可能な記憶媒体内に実装され得るコンピュータで実行可能なコードを含む１つ以上のコンピュータプログラムの形態であり得る。
【０１２７】
本開示は、本開示の実施形態の方法、デバイス（システム）およびコンピュータプログラムのフローチャートならびに／あるいはブロック図を参照することによって記述される。フローチャートおよび／またはブロック図の、各フローおよび／またはブロック、ならびにフローおよび／またはブロックの組み合わせは、コンピュータプログラム命令によって実装され得ることが理解されるべきである。これらのコンピュータプログラム命令は、フローチャートの１つ以上のフローおよび／またはブロック図の１つ以上のブロックを実装するデバイスが、コンピュータまたは他のプログラム可能なデータプロセッサによって動作される命令を通して生成され得るように、マシンを生成するために一般コンピュータ、特殊コンピュータ、埋め込み型プロセッサまたは他のプログラム可能なデータプロセッサに提供され得る。
【０１２８】
これらのコンピュータプログラム命令はまた、コンピュータで読み取り可能な記憶装置内に記憶された命令が命令デバイスを含む製品を生成するように、一定の手法で動作することをコンピュータまたは他のプログラム可能なデータプロセッサに命令することが可能な他のコンピュータで読み取り可能な記憶装置内に記憶され得、命令デバイスは、フローチャートの１つ以上のフローおよび／またはブロック図の１つ以上のブロックにおいて指定された機能を実装する。
【０１２９】
これらのコンピュータプログラム命令はまた、コンピュータまたは他のプログラム可能なデータプロセッサが、コンピュータによって実装されるプロセスを生成するための一連の動作ステップを動作し得るように、コンピュータまたは他のプログラム可能なデータプロセッサにロードされ得る。従って、コンピュータまたは他のプログラム可能なデータプロセッサ内で動作される命令は、フローチャートの１つ以上のフローおよび／またはブロック図の１つ以上のブロックにおいて指定された機能を実装するためのステップを提供することができる。
【０１３０】
これらの実施形態は、本開示を単に説明するためのものであり、本開示の範囲を限定することを意図するものではない。一定の修正や改良は、本開示の原理から逸脱すること無くなされ得、本開示の保護の下で考えられるべきであることは、その技術分野における当業者に理解されるべきである。
【０１３１】
この書類における任意の相対的な用語、例えば「第１の」および「第２の」は、１つの実体を別の実体からまたは１つの動作を別の動作から区別することを単に意味するが、これらの実体間もしくはこれらの動作間の任意の現実世界の関係または順序の存在を必ずしも要求あるいは暗示するものではないことに留意する。その上、「含む」、「有する」または任意の他の変形などの用語は、非排他的な「備える」を意味することが意図される。従って、特徴の集合を個別に含む工程、方法、物品またはデバイスは、それらの特徴を含み得るだけではなく、リスト化されていない他の特徴、あるいはこれらの工程、方法、物品またはデバイスの任意の固有の特徴もまた含み得る。任意の更なる限定無しに、フレーズ「（１つの）〜を含む」内で定義された特徴は、特徴を列挙する工程、方法、物品またはデバイスが、他の等価の特徴を有し得る可能性を排除しない。
【０１３２】
実施形態例の上の記述は、取引プラットフォームに基づいて供給業者情報を検索するための方法例および装置例を例示する。実施形態例は、本開示に従って原理およびそれらの実装を例示する。これらの実施形態は、本開示の方法および核となる概念を単に例示するためのものであり、本開示の範囲を限定することを意図するものではない。一定の修正、置換、および改良は、本開示の原理から逸脱すること無くなされ得、本開示の保護の下で考えられるべきであることは当業者によって理解されるべきである。本明細書における記述が本開示を制限するものと理解されるべきではない。
【図１】
2015513165.tif 000011
【図２】
2015513165.tif 000012
【図８】
2015513165.tif 000013
【図３】
2015513165.tif 000014
【図４】
2015513165.tif 000015
【図５】
2015513165.tif 000016
【図６】
2015513165.tif 000017
【図７】
2015513165.tif 000018
【国際調査報告】
2015513165.tif 000019